(57)【要約】【課題】  ミル装置の駆動手段を簡単で保守管理が容易な構成とし、騒音・振動を抑制する。【解決手段】  円筒状のミルドラム本体１内部に５ｔ以上の粉砕用の媒体を収納し、駆動手段でミルドラム本体１を回転させることにより粉砕を行うミル装置において、駆動手段が、駆動プーリ５と、この駆動プーリ５とミルドラム本体１の外周上に巻回され駆動プーリ５からミルドラム本体１に回転を伝達するコンベヤベルト６と備える。ミルドラム本体１の外周上のコンベヤベルト巻回位置にはゴムラギングを施す。【選択図】  図１
2005270781.tif 000002
【特許請求の範囲】
【請求項１】
円筒状のミルドラム本体内部に５ｔ以上の粉砕用の媒体を収納し、駆動手段でミルドラム本体を回転させることにより粉砕を行うミル装置であって、
駆動手段が、駆動プーリと、該駆動プーリとミルドラム本体の外周上に巻回され駆動プーリからミルドラム本体に回転を伝達するコンベヤベルトとを備えたことを特徴とするミル装置。
【請求項２】
ミルドラム本体の外周上のコンベヤベルト巻回位置に、熱加硫又は自然加硫によりゴムラギングを施したことを特徴とする請求項１記載のミル装置。
【発明の詳細な説明】
【技術分野】
【０００１】
本発明は、回転する円筒状のミルドラム本体内に原石等の被破砕物を投入し、ミルドラム本体内部に収納した粉砕用の媒体により被破砕物を粉砕するミル装置に関する。
【背景技術】
【０００２】
回転する円筒状のミルドラム本体内に被破砕物を投入し、ミルドラム本体内部に収納した粉砕用の媒体により被破砕物を粉砕するミル装置には、ボールを媒体とするボールミル装置や、ロッドを媒体とするロッドミル装置等がある。
従来のミル装置では、ミルドラム本体を回転可能に支持し、ミルドラム本体の外周上にリング状に従動ギヤを設け、この従動ギヤと噛み合う駆動ギヤから動力を伝達してミルドラム本体を回転させていた（例えば特許文献１参照）。
【０００３】
しかし、このようなギヤを用いた駆動手段では、ミルドラム本体の回転時の騒音や振動が大きい。
そこで、騒音や振動を低減させるため、ミルドラム本体を駆動輪を含む車輪（主にゴムタイヤ）で支承しながら回転させる駆動手段も用いられている（特許文献２参照）。
ところが、５〜５０ｔ程度の質量の媒体を収納する比較的大型のミル装置において、車輪により回転トルクを伝達するには、ミルドラム本体の長手方向に多数の車輪を配設する必要があり、それらを連結する転軸体や差動装置も複数必要になるので、駆動手段の構造が複雑化する。
【０００４】
転軸体と車輪はミルドラム本体の下部に配置する必要があるため、駆動手段の重整備を行う場合はミルドラム本体を着脱することが望ましく、大掛かりな作業となる。ある程度の整備であればジャッキ装置により行えるが、この場合ミルドラム本体の下方に作業者が入る作業は安全上行えない。
また、電動機と転軸体はＶベルト及びＶプーリにより連結されて動力の伝達を行うが、５〜５０ｔ程度の媒体を収納する比較的大型のミル装置では２０〜２００本程度のＶベルトが必要で、各ベルトの張力を均等にするのが極めて難しい。
【０００５】
さらに、各車輪に充填する空気などの気体の圧力を入念に管理しないと、ミル装置の粉砕性能を十分に発揮できない上、転軸体や差動装置に過度の負担を強いるので全車輪についてこまめな保守管理作業が必要である。
しかも、この駆動手段は、車両の駆動機構を転用したものであり、ミル装置により粉砕作業を行う作業者は、通常このような駆動手段の保守管理を行う高度な技術、技能を有していないことが多い。
【０００６】
従って、車輪、転軸体、差動装置に対する適切な保守管理が行えず、ミル装置の製造業者に保守管理を依存するか、ある程度の短い耐用年数で各構成機器を交換せざるを得ず、コスト負担が大きい。また、駆動手段への過度の負担がかからないよう操業負荷を軽減させることが必要になり、生産性を十分に生かせないという問題がある。
【特許文献１】実開昭５４−１３８０７１号公報
【特許文献２】特許第３１２５２５０号公報
【発明の開示】
【発明が解決しようとする課題】
【０００７】
本発明は、ミル装置における上記問題を解決するものであって、駆動手段の構造が簡単で保守管理が容易であり、騒音・振動を抑制することのできるミル装置を提供することを目的とする。
【課題を解決するための手段】
【０００８】
本発明のミル装置は、円筒状のミルドラム本体内部に５ｔ以上の粉砕用の媒体を収納し、駆動手段でミルドラム本体を回転させることにより粉砕を行うミル装置であって、駆動手段が、駆動プーリと、この駆動プーリとミルドラム本体の外周上に巻回され駆動プーリからミルドラム本体に回転を伝達するコンベヤベルトと備えることにより上記課題を解決している。
【０００９】
このミル装置では、駆動プーリとミルドラム本体の外周上に巻回されたコンベヤベルトによって、駆動プーリからミルドラム本体に回転を伝達する。このため、ギヤを用いた駆動手段のように大きな騒音や振動が生じない。また、駆動手段の構造が簡単で、保守管理のために高度な技術、技能は必要なく、ミル装置により粉砕作業を行う作業者によって容易に保守管理を行うことが可能である。よって、コスト負担を低減し、生産性を向上させることができる。
ミルドラム本体の外周上のコンベヤベルト巻回位置に、熱加硫又は自然加硫によりゴムラギングを施すと、回転動力の伝達効率が向上する。
【発明の効果】
【００１０】
本発明のミル装置は、駆動手段の構造が簡単で保守管理が容易であり、騒音・振動を抑制することができる。
【発明を実施するための最良の形態】
【００１１】
図１は本発明の実施の形態を示すミル装置の正面図、図２はミル装置の側面図、図３はミル装置の平面図である。
このミル装置では、円筒状のミルドラム本体１が軸受２によって回転自在に支持されている。ミルドラム本体１の前端（図２上、右端）には、原石等の被破砕物を投入する投入口３、ミルドラム本体１の後端には砕砂等の粉砕製品を排出する排出筒４が設けられている。ミルドラム本体１の内部には５ｔ以上の粉砕用の媒体が収納されている。
ミルドラム本体１の側方には、駆動プーリ５が配置されている。そして、駆動プーリ５とミルドラム本体１の外周上には、駆動プーリ５からミルドラム本体１に回転を伝達するためのコンベヤベルト６が巻回されている。また、駆動プーリ５とミルドラム本体１との間には、テンションプーリ７が設けられている。
【００１２】
駆動プーリ５の外周上とミルドラム本体１の外周上のコンベヤベルト６の巻回位置には、熱加硫又は自然加硫によりゴムラギングが施されている。
このコンベヤベルト６は、一般にばら物搬送用のベルトコンベヤに使用されるものであって、種々の寸法と強度を有するものが市販されているので、適切な仕様のものが容易に入手可能であり、かつ、現場で簡単に加硫接合しエンドレス加工することができる。
駆動プーリ５のプーリ軸８は、電動機９の出力軸１０にカップリング１１で連結されている。テンションプーリ７のプーリ軸１２は、テンショナ１３によって斜め上下方向に移動可能に支持されており、これにより、テンションプーリ７がコンベヤベルト６の巻付角と張力を調整できるようになっている。
【００１３】
このミル装置で原石を粉砕して砕砂を生産する場合には、電動機９を起動して駆動プーリ５を回転させる。駆動プーリ５の回転はコンベヤベルト６でミルドラム本体１に伝達される。原石は投入口３から回転するミルドラム本体１内へ投入され、ミルドラム本体１の内部に収納されている粉砕用の媒体によって粉砕され、砕砂が排出筒４から外部へ排出される。
【００１４】
このミル装置では、駆動プーリ５とミルドラム本体１の外周上に巻回されたコンベヤベルト６によって、駆動プーリ５からミルドラム本体１に回転を伝達する。このため、ミルドラム本体１は、ギヤを用いた駆動手段のように大きな騒音や振動が生じることなく円滑に回転できる。
テンションプーリ７でコンベヤベルト６の巻付角と張力を適切に調整できるようになっており、駆動プーリ５の外周上とミルドラム本体１の外周上のコンベヤベルト６の巻回位置にはゴムラギングが施されているので、回転動力の伝達効率が良い。
【００１５】
また、車輪を用いた駆動手段のような多数の車輪や転軸体や差動装置は使用しないので、駆動手段の構造が簡単であり、多数のＶベルトの張力の調整や、車輪に充填する気体の圧力の入念な管理を行う必要がなく、作業者は駆動手段の保守管理を行うのに車輪や転軸体や差動装置等に関する高度な技術、技能を有する必要はない。
通常、ミル装置回りには、原石や製品等を搬送するためのベルトコンベヤ設備が使用されており、ミル装置により粉砕作業を行う作業者は、ベルトコンベヤの保守管理には習熟しているので、ミル装置の製造業者に依存することなく適切な駆動手段の保守管理を行うことが可能である。
従って、耐用年数が長くなり、コスト負担が低減され、ミル装置の粉砕性能を十分に発揮して生産性を向上させることができる。
【図面の簡単な説明】
【００１６】
【図１】本発明の実施の形態を示すミル装置の正面図である。
【図２】ミル装置の側面図である。
【図３】ミル装置の平面図である。
【符号の説明】
【００１７】
１      ミルドラム本体
２      軸受
３      投入口
４      排出筒
５      駆動プーリ
６      コンベヤベルト
７      テンションプーリ
１０    電動機
１３    テンショナ
【図１】
2005270781.tif 000003
【図２】
2005270781.tif 000004
【図３】
2005270781.tif 000005